(57)【特許請求の範囲】
【請求項１】
建物開口部に設置される外窓部よりも屋内側に設けられる内窓部を備えた建具であって、
前記内窓部は、前記建物開口部の屋内側に固定される枠体と、この枠体に支持される面材とを備えて構成され、
前記枠体は、前記建物開口部の屋内側に沿って枠組された枠材を有し、これらの枠材は、当該建物開口部に連続した屋内側面に沿う固定片部を少なくとも有して構成され、
前記面材は、枠組みされた框材と、その内部に支持されたパネル材とを有し、前記框材は、前記枠体の固定片部の屋内側に対向する対向面部を有して構成され、
前記固定片部および前記対向面部の一方には、他方に当接可能な気密材が当該固定片部および対向面部の見付け方向内端側に位置して設けられている建具。
【請求項２】
前記框材の見付け方向内面には、前記パネル材の端縁が挿入可能なパネル保持溝が形成され、このパネル保持溝は、当該框材の見付け方向内面における屋外側に偏心して形成されるとともに、前記対向面部の屋内側側面によって当該パネル保持溝の屋外側の溝側面が構成されている請求項１に記載の建具。
【請求項３】
前記枠材は、前記固定片部の見付け方向内端部に連続して前記建物開口部の見込み面に沿って屋外側に延びる延出片部を有し、この延出片部が前記建物開口部に固定されている請求項１または請求項２に記載の建具。
【請求項４】
前記延出片部は、樹脂製であって、前記固定片部の見付け方向内端部に係合して取り付けられている請求項３に記載の建具。
【請求項５】
前記面材は、左右にスライド開閉自在に支持され、前記枠体を構成する枠材のうちの上枠および下枠は、前記建物開口部の少なくとも片側の縦辺よりも側方に延びて設けられるとともに、当該上枠および下枠には、前記固定片部の見付け方向外側に連続して屋内側に突出する面材支持部が形成されている請求項１から請求項４のいずれかに記載の建具。
【請求項６】
前記上枠および下枠は、前記建物開口部の両側の縦辺よりも側方に延びて設けられ、
前記面材は、一対で構成されて引き分け開閉自在に支持されるとともに、互いに突き合わされて閉じる各々の縦框は、前記パネル材を屋外側から保持する樹脂製の保持片を有して構成されている請求項５に記載の建具。
【発明の詳細な説明】
【技術分野】
【０００１】
本発明は、建物開口部に設置される外窓部よりも屋内側に設けられる内窓部を備えた所謂二重窓に類する建具に関する。
【背景技術】
【０００２】
従来、建物開口部に設置された通常の窓（外窓）の屋内側に内窓を取り付けて二重窓を構成するための構造が提案されている（例えば、特許文献１参照）。
特許文献１に記載の内窓は、開口部の額縁材に沿って四周を囲むように屋内窓枠を固定し、この屋内窓枠に屋内障子を内開き形式で支持させることで構成されている。屋内窓枠は、額縁材の見込み面に沿って固定される固定面と、この固定面の屋内側に連続して額縁材の屋内側端面に沿って延びる見付け面とを有して形成され、この見付け面の見付け方向外端部に取り付けられたＡＴ材に屋内障子が当接することで、気密性が確保できるようになっている。
【先行技術文献】
【特許文献】
【０００３】
【特許文献１】特許第３９９６８６０号公報
【発明の概要】
【発明が解決しようとする課題】
【０００４】
しかしながら、特許文献１に記載されたような従来の内窓では、屋内窓枠の見付け面と屋内障子の框の屋外側面とが、互いの見付け方向外端側のＡＴ材を介して当接するようになっているため、屋内窓枠および屋内障子の框において、外窓と内窓の間に形成される中間空間に多くの金属部分が露出してしまう。このため、冬季において室内空間よりも相対的に気温の下がる中間空間に露出した金属部分を介して框が冷却され、框の屋内側に結露が発生する可能性があることから、断熱性能を十分かつ確実に高められる内窓の開発が望まれていた。
【０００５】
本発明の目的は、結露の発生を抑制するとともに断熱性能を向上させることができる建具を提供することにある。
【課題を解決するための手段】
【０００６】
本発明の建具は、建物開口部に設置される外窓部よりも屋内側に設けられる内窓部を備えた建具であって、前記内窓部は、前記建物開口部の屋内側に固定される枠体と、この枠体に支持される面材とを備えて構成され、前記枠体は、前記建物開口部の屋内側に沿って枠組された枠材を有し、これらの枠材は、当該建物開口部に連続した屋内側面に沿う固定片部を少なくとも有して構成され、前記面材は、枠組みされた框材と、その内部に支持されたパネル材とを有し、前記框材は、前記枠体の固定片部の屋内側に対向する対向面部を有して構成され、前記固定片部および前記対向面部の一方には、他方に当接可能な気密材が当該固定片部および対向面部の見付け方向内端側に位置して設けられていることを特徴とする。
【０００７】
ここで、本発明の建具において、外窓部および内窓部における面材の開閉形式は特に限定されるものではなく、引違い形式や片引き形式、引分け形式、開き形式など各種の開閉形式が利用可能であるとともに、内外の窓部が開閉不能な面材を有したものであってもよい。また、本発明の内窓部は、既設の窓部がある建物開口部に対して後から取り付けられるものでもよいし、内外の窓部がともに新設として建物開口部に設置されるものでもよい。
【０００８】
以上の本発明によれば、枠材の固定片部と框材の対向面部とを互いの見付け方向内端側にて気密材を介して当接させることで、外窓部と内窓部との中間空間に露出する框材の露出面積を最小限にすることができる。従って、冬季に気温が低下する中間空間において框材が冷却されにくくでき、框材の屋内空間側に発生する結露を抑制することができるとともに、冬季や夏季における中間空間と屋内空間との気温差が框材を介して伝達されにくくして、内窓部の断熱性能を向上させることができる。
【０００９】
この際、本発明の建具では、前記框材の見付け方向内面には、前記パネル材の端縁が挿入可能なパネル保持溝が形成され、このパネル保持溝は、当該框材の見付け方向内面における屋外側に偏心して形成されるとともに、前記対向面部の屋内側側面によって当該パネル保持溝の屋外側の溝側面が構成されていることが好ましい。
このような構成によれば、パネル保持溝を框材の屋外側に偏心して形成し（つまりパネル材を屋外側にセットバックさせ）、対向面部の屋内側側面によってパネル保持溝の屋外側の溝側面を構成する、すなわちヒレ状の対向面部によってパネル保持溝の屋外部分を構成することで、対向面部の厚さ寸法分だけの見込み寸法しかパネル材の屋外側に框材が位置しないようにでき、中間空間に露出する框材の面積をさらに小さくして断熱性能を高めることができる。
【００１０】
さらに、本発明の建具では、前記枠材は、前記固定片部の見付け方向内端部に連続して前記建物開口部の見込み面に沿って屋外側に延びる延出片部を有し、この延出片部が前記建物開口部に固定されていることが好ましい。
このような構成によれば、固定片部および延出片部によって断面略Ｌ字形に枠材を形成し、これらの固定片部および延出片部を建物開口部に固定することで、固定強度を高めることができ、一方、固定片部を固定せずに延出片部を建物開口部に固定するようにすれば、屋内側から目立つ固定片部にビス等が露出しないことから内窓部の意匠性を向上させることができる。
【００１１】
さらに、本発明の建具では、前記延出片部は、樹脂製であって、前記固定片部の見付け方向内端部に係合して取り付けられていることが好ましい。
このような構成によれば、延出片部を樹脂製とすることで、延出片部の温度変化を小さくすることができ、延出片部から固定片部の屋内側に伝達される気温変化を抑制することができ、断熱性能を一層向上させることができる。
【００１２】
また、本発明の建具では、前記面材は、左右にスライド開閉自在に支持され、前記枠体を構成する枠材のうちの上枠および下枠は、前記建物開口部の少なくとも片側の縦辺よりも側方に延びて設けられるとともに、当該上枠および下枠には、前記固定片部の見付け方向外側に連続して屋内側に突出する面材支持部が形成されていることが好ましい。
このような構成によれば、面材を左右にスライド開閉自在に支持した片引き形式や引違い形式の内窓部とすることで、従来の内開き形式の内窓と比較して、面材を開閉する際や開放した状態において有効に利用できる屋内空間を拡大することができる。
【００１３】
この際、本発明の建具では、前記上枠および下枠は、前記建物開口部の両側の縦辺よりも側方に延びて設けられ、前記面材は、一対で構成されて引き分け開閉自在に支持されるとともに、互いに突き合わされて閉じる各々の縦框は、前記パネル材を屋外側から保持する樹脂製の保持片を有して構成されていることが好ましい。
このような構成によれば、一対の面材を左右に引き分け開閉自在に支持した内窓部とすることで、前述のように屋内空間を有効利用可能としつつ、幅寸法の大きな開口部にも対応することができる。さらに、突き合わせ位置の縦框がパネル材を屋外側から保持する樹脂製の保持片を有することで、これらの縦框における気温差の伝達を抑制することができ、結露を防止するとともに断熱性能を確保することができる。
【図面の簡単な説明】
【００１４】
【図１】本発明の実施形態に係る建具を示す正面図である。
【図２】前記建具を示す縦断面図である。
【図３】前記建具を示す横断面図である。
【図４】本発明の変形例に係る建具を示す縦断面図である。
【図５】前記建具を示す横断面図である。
【図６】本発明の他の変形例に係る建具を示す縦断面図である。
【図７】前記建具を示す横断面図である。
【発明を実施するための形態】
【００１５】
以下、本発明の実施形態を図面に基づいて説明する。
図１〜図３において、本実施形態に係る建具としての二重窓１は、建物開口部に設置される外窓（外窓部）２と、この外窓２の屋内側に設けられる内窓（内窓部）３とを備えて構成され、これらの外窓２と内窓３との間に中間空間Ｓが形成されている。外窓２は、詳しい図示を省略するが、開口部に固定される窓枠と、この窓枠に支持される障子とを有し、例えば、障子が左右引違い形式に開閉可能に支持された引違い窓である。この外窓２の上下左右の窓枠は、建物開口部の内周面を構成する上下左右の額縁４に固定されている。また、額縁４の周囲には、当該額縁４の屋内側端面４Ａと略同一面に沿って内壁Ｗが上下左右に拡がって設けられている。
【００１６】
内窓３は、上下左右の額縁４の屋内側にそれぞれ固定される枠体としての内窓枠５と、この内窓枠５に支持される面材としての一対の内障子１０とを備えて構成されている。内窓枠５は、上枠６、下枠７および左右の縦枠８を有して構成され、上枠６および下枠７は、左右の縦枠８よりも側方に延びて内壁Ｗに沿って設けられている。一対の内障子１０は、それぞれアルミ形材製の上框１１、下框１２および左右の縦框１３，１４を四周框組みした内部に樹脂製のパネル材１５を嵌め込んで構成されている。この内窓３は、一対の内障子１０が互いに見込み方向の同一面内に支持されて左右引分け形式に開閉可能に支持された引分け窓であり、各々の内障子１０における戸先側の縦框１４同士が互いに突き合わされて閉じるように構成されている。
【００１７】
上枠６は、図２に示すように、額縁４の屋内側端面４Ａおよび内壁Ｗに沿って設けられるアルミ形材製の上枠本体６１と、この上枠本体６１から額縁４の見込み面４Ｂに沿って屋外側に延びる樹脂製のアングル材６２とを有して構成されている。上枠本体６１は、額縁４の屋内側端面４Ａにビス止め固定される固定片部６３と、この固定片部６３の上端部（見付け方向外側端部）に連続して屋内側に突出する面材支持部としての上レール部６４と、固定片部６３の下端部（見付け方向内側端部）にて屋内側に開口した気密材保持部６５とを有して形成されている。アングル材６２は、見込み方向に延びて額縁４の見込み面４Ｂにビス止め固定される延出片部６６と、この延出片部６６の屋内側端部から上方に折れ曲がって固定片部６３に係合する係合片部６７とを有して断面略Ｌ字形に形成されている。固定片部６３は、ビス６３Ａによって額縁４に固定され、このビス６３Ａは、上レール部６４と気密材保持部６５とに渡って取り付けられるカバー材６８によって隠蔽されている。上レール部６４は、下向きに開口した断面略Ｃ字形に形成され、その内部にローラー６９が転動自在に支持されており、このローラー６９によって内障子１０が吊り下げ支持されている。気密材保持部６５には、気密材としてのモヘア５Ａが屋内側に突出して保持されている。
【００１８】
下枠７は、額縁４の屋内側端面４Ａおよび内壁Ｗに沿って設けられるアルミ形材製の下枠本体７１と、この下枠本体７１から額縁４の見込み面４Ｂに沿って屋外側に延びる樹脂製のアングル材７２とを有して構成されている。下枠本体７１は、額縁４の屋内側端面４Ａにビス止め固定される固定片部７３と、この固定片部７３の下端部（見付け方向外側端部）に連続して屋内側に突出する面材支持部としての下レール部７４と、固定片部７３の上端部（見付け方向内側端部）にて屋内側に開口した気密材保持部７５とを有して形成されている。アングル材７２は、見込み方向に延びて額縁４の見込み面４Ｂにビス止め固定される延出片部７６と、この延出片部７６の屋内側端部から下方に折れ曲がって固定片部７３に係合する係合片部７７とを有して断面略Ｌ字形に形成されている。固定片部７３は、ビス７３Ａによって額縁４に固定され、このビス７３Ａは、下レール部７４と気密材保持部７５とに渡って取り付けられるカバー材７８によって隠蔽されている。下レール部７４は、断面略角筒状に形成され、その上部には、内障子１０の下端縁を案内する案内部材７９が取り付けられている。気密材保持部７５には、気密材としてのモヘア５Ｂが屋内側に突出して保持されている。
【００１９】
縦枠８は、図３に示すように、額縁４の屋内側端面４Ａに沿って設けられるアルミ形材製の縦枠本体８１と、この縦枠本体８１から額縁４の見込み面４Ｂに沿って屋外側に延びる樹脂製のアングル材８２とを有して構成されている。縦枠本体８１は、額縁４の屋内側端面４Ａにビス止め固定される固定片部８３と、この固定片部８３の見付け方向内側端部にて屋内側に開口した気密材保持部８５とを有して形成されている。アングル材８２は、見込み方向に延びて額縁４の見込み面４Ｂにビス止め固定される延出片部８６と、この延出片部８６の屋内側端部から見付け方向外側に折れ曲がって固定片部８３に係合する係合片部８７とを有して断面略Ｌ字形に形成されている。固定片部８３は、ビス８３Ａによって額縁４に固定されている。気密材保持部８５には、気密材としてのモヘア５Ｃが屋内側に突出して保持されている。
【００２０】
内障子１０の上框１１は、図２に示すように、断面略角形中空状に形成され、屋内側に位置する屋内面部２１と、この屋内面部２１の下端縁から屋外側に延びる見込み面部２２と、屋外側に位置して上枠６の固定片部６３および気密材保持部６５の屋内側に対向する対向面部２３と、見込み面部２２の屋外側と対向面部２３との間に形成されたパネル保持部（パネル保持溝）２４とを有して形成されている。パネル保持部２４は、見込み面部２２に連続して上方に延びるとともに屋外側に折れ曲がる折曲面部２５と、この折曲面部２５が連続する対向面部２３下端側の突片部２６とによって、下方に開口した凹溝状に形成され、パネル材１５の上端縁を保持可能に構成されている。また、上枠６の気密材保持部６５に保持されたモヘア５Ａの先端は、対向面部２３下端側における突片部２６の屋外側側面に当接するようになっている。
【００２１】
下框１２は、断面略角形中空状に形成され、屋内側に位置する屋内面部３１と、この屋内面部３１の上端縁から屋外側に延びる見込み面部３２と、屋外側に位置して下枠７の固定片部７３および気密材保持部７５の屋内側に対向する対向面部３３と、見込み面部３２の屋外側と対向面部３３との間に形成されたパネル保持部３４とを有して形成されている。パネル保持部３４は、見込み面部３２に連続して下方に延びるとともに屋外側に折れ曲がる折曲面部３５と、この折曲面部３５が連続する対向面部３３上端側の突片部３６とによって、上方に開口した凹溝状に形成され、パネル材１５の下端縁を保持可能に構成されている。また、下枠７の気密材保持部７５に保持されたモヘア５Ｂの先端は、対向面部３３上端側における突片部３６の屋外側側面に当接するようになっている。
【００２２】
左右の縦框１３，１４のうち、戸尻側の縦框１３は、図３に示すように、断面略角形中空状に形成され、屋内側に位置する屋内面部４１と、この屋内面部４１の見付け方向内端端縁から屋外側に延びる見込み面部４２と、屋外側に位置して縦枠８の固定片部８３および気密材保持部８５の屋内側に対向する対向面部４３と、見込み面部４２の屋外側と対向面部４３との間に形成されたパネル保持部４４とを有して形成されている。パネル保持部４４は、見込み面部４２に連続して見付け方向外側に延びるとともに屋外側に折れ曲がる折曲面部４５と、この折曲面部４５が連続する対向面部４３の見付け方向内端側の突片部４６とによって、側方に開口した凹溝状に形成され、パネル材１５の側端縁を保持可能に構成されている。また、縦枠８の気密材保持部８５に保持されたモヘア５Ｃの先端は、対向面部４３の見付け方向内端側における突片部４６の屋外側側面に当接するようになっている。
【００２３】
戸先側の縦框１４は、屋内側に位置するアルミ形材製の縦框本体５１と、この縦框本体５１に係合されてパネル材１５を屋外側から保持する樹脂製の保持片５２と、これらの戸先側先端部に保持されて一対の縦框１４間で当接可能な軟質樹脂製の当接部材５３とを有して構成されている。縦框本体５１は、当接部材５３と反対側（パネル材側）で屋外側に延びる見込み面部５４と、この見込み面部５４の屋外側に連続する折曲面部５５と、この折曲面部５５に隣接して保持片５２と係合する係合部５６とを有し、折曲面部５５と保持片５２との間にパネル保持部５７が形成されている。パネル保持部５７は、縦框本体５１の折曲面部５５と保持片５２の見付け方向内端側の突片部５８とによって、側方に開口した凹溝状に形成され、パネル材１５の側端縁を保持可能に構成されている。
【００２４】
以上のような上框１１、下框１２および左右の縦框１３，１４で外周端縁が保持されたパネル材１５は、内障子１０の見込み寸法内において、屋外側に偏心して保持され、各框材の屋外側側面から突片部２６，３６，４６，５８の板厚寸法だけ屋内側に戻った位置にパネル材１５の屋外側表面が設けられるようになっている。また、上框１１、下框１２および縦框１３は、それらの突片部２６，３６，４６に当接するモヘア５Ａ，５Ｂ，５Ｃによって気密ラインが形成され、この気密ラインよりも屋内側に位置する部分は中間空間Ｓに露出しないようになっている。一方、縦框１４は、中間空間Ｓ側に樹脂製の保持片５２が露出するのみで、縦框本体５１が中間空間Ｓに露出しないようになっている。従って、各框材１１，１２，１３，１４のうち、中間空間Ｓに露出する金属（アルミ）部分は、突片部２６，３６，４６の先端のみであり、内障子１０を介した屋内空間と中間空間Ｓとの間での熱伝達が抑制できるようになっている。さらに、内窓枠５においても、中間空間Ｓに露出する金属（アルミ）部分は、気密材保持部６５，７５，８５の先端のみであり、内窓枠５を介した熱伝達も抑制できるようになっている。
【００２５】
このような本実施形態によれば、以下のような効果を得ることができる。
すなわち、内窓枠５のモヘア５Ａ，５Ｂ，５Ｃを上框１１、下框１２および縦框１３の見付け方向内端側端部である突片部２６，３６，４６に当接させて気密ラインが形成されるとともに、突片部２６，３６，４６で保持するパネル材１５が内障子１０の見込み寸法内で屋外側に偏心して保持されることで、中間空間Ｓに露出する各框１１，１２，１３の露出面積を最小限にすることができる。さらに、戸先側の縦框１４における中間空間Ｓに露出する部分が樹脂製の保持片５２で構成されているので、縦框１４の金属部分である縦框本体５１が中間空間Ｓに露出しないようにできる。従って、冬季に気温が低下する中間空間Ｓにおいて各框１１，１２，１３，１４の金属部分が冷却されにくくでき、それらの屋内空間側に発生する結露を抑制することができるとともに、冬季や夏季における中間空間Ｓと屋内空間との気温差が各框１１，１２，１３，１４を介して伝達されにくくして、内窓３の断熱性能を向上させることができる。また、内窓枠５においても、中間空間Ｓに露出する部分の大半を樹脂製のアングル材６２，７２，８２としたことで、上枠６、下枠７および縦枠８を介して屋内空間との熱伝達を抑制することができ、内窓３の断熱性能を一層向上させることができる。
【００２６】
なお、本発明は、前記実施形態に限定されるものではなく、本発明の目的が達成できる他の構成等を含み、以下に示すような変形等も本発明に含まれる。
例えば、前記実施形態においては、内窓部である内窓３が引分け窓である場合を例示したが、本発明の建具としては、内窓部における面材の開閉形式は特に限定されるものではなく、例えば、片引き窓や引違い窓、内開き窓、内倒し窓、上げ下げ窓などであってもよい。さらに、外窓部の開閉形式も特に限定されず、また外窓部が開閉不能な面材を有した嵌め殺し窓であってもよい。
また、本発明において、内窓部である内窓３は、既設の外窓部である外窓２に対して後から取り付けられるものでもよいし、外窓２および内窓３がともに新設として建物開口部に設置されるものでもよい。
また、前記実施形態では、建物開口部の屋内側端縁を構成する上下左右の額縁４に内窓枠５を固定したが、これに限らず、額縁４が設けられない開口部であれば、内壁Ｗや床材等に内窓枠５を固定してもよいし、外窓部の枠体の一部（例えば、アングル部など）に内窓枠５を固定してもよい。
【００２７】
また、内窓部の枠体は、前記実施形態の形態に限らず、以下の図４〜図７に示す形態を有して枠体が構成されてもよい。
すなわち、図４および図５に示す変形例に係る二重窓１Ａは、前記実施形態と略同様に、内窓部である内窓３が枠体である内窓枠５と引分け形式に開閉可能な一対の内障子１０とを備えて構成されている。内窓枠５は、前記実施形態と相違する上枠６Ａ、下枠７Ａおよび左右の縦枠８Ａを有して構成され、内障子１０は、前記実施形態と同様の上框１１、下框１２、縦框１３およびパネル材１５と、前記実施形態と相違する縦框１４Ａとを有して構成されている。上枠６Ａ、下枠７Ａおよび縦枠８Ａは、前記実施形態の上枠６、下枠７および縦枠８における樹脂製のアングル材６２，７２，８２に替えて、アルミ形材製の上枠本体６１、下枠本体７１および縦枠本体８１と一体の延出片部６６Ａ，７６Ａ，８６Ａを有して形成され、これらの延出片部６６Ａ，７６Ａ，８６Ａが額縁４の見込み面４Ｂにビス止め固定されている。一方、縦框１４Ａは、前記実施形態の縦框１４における樹脂製の保持片５２に替えて、アルミ形材製の縦框本体５１と一体の屋外側見付け面部５９を有して形成され、この屋外側見付け面部５９の見付け方向内端側の突片部５８Ａと折曲面部５５とによってパネル保持部５７が構成されている。
【００２８】
また、図６および図７に示す他の変形例に係る二重窓１Ｂは、前記実施形態と相違して、内窓部である内窓３が枠体である内窓枠５と片引き形式に開閉可能な１枚の内障子１０とを備え、内窓枠５は、前記実施形態と相違する上枠６Ｂ、下枠７Ｂおよび左右の縦枠８Ｂを有して構成されている。内障子１０は、上框１１、下框１２、左右の縦框１３およびパネル材１５を有して構成されている。上枠６Ｂ、下枠７Ｂおよび縦枠８Ｂは、前記実施形態のアングル材６２，７２，８２を備えず、額縁４の見込み面４Ｂにビス止め固定される延出片部が省略され、気密材保持部６５，７５，８５の一部が額縁４の屋内側端面４Ａに当接して設けられている。また、二重窓１Ｂでは、上枠６Ｂおよび下枠７Ｂは、左右の縦枠８Ｂのうち、図７中左側の縦枠８Ｂ位置に側端部を有するとともに、図７中右側の縦枠８Ｂよりも側方に延びて設けられ、内障子１０は、図中右方向に開放可能に構成されている。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３０】
１，１Ａ，１Ｂ…二重窓（建具）、２…外窓（外窓部）、３……内窓（内窓部）、５…内窓枠（枠体）、５Ａ，５Ｂ，５Ｃ…モヘア（気密材）、６，６Ａ，６Ｂ…上枠（枠材）、７，７Ａ，７Ｂ…下枠（枠材）、８，８Ａ，８Ｂ…縦枠（枠材）、１０…内障子（面材）、１１…上框（框材）、１２…下框（框材）、１３，１４，１４Ａ…縦框（框材）、１５…パネル材、２３，３３，４３…対向面部、２４，３４，４４…パネル保持部（パネル保持溝）、５２…保持片、６３，７３，８３…固定片部、６４…上レール部（面材支持部）、６６，６６Ａ，７６，７６Ａ，８６，８６Ａ…延出片部、７４…下レール部（面材支持部）。
【図１】
0005384469.tif 000002
【図２】
0005384469.tif 000003
【図３】
0005384469.tif 000004
【図４】
0005384469.tif 000005
【図５】
0005384469.tif 000006
【図６】
0005384469.tif 000007
【図７】
0005384469.tif 000008